(57)【要約】      （修正有）【課題】車椅子利用客などの特定の乗客がエレベータの一般用乗りかごを利用する場合の安全を確保し、利便性を高める。【解決手段】エレベータ制御装置１ｂは、一般用乗りかご２ｂが着床後してかごドア１５ｂが開扉してから閉扉するまでの間に着床した階床の乗り場２０の車椅子乗車釦６からの車椅子乗車釦信号を入力した場合には、かごドア１５ｂの閉扉までの残り時間に予め定められた時間を加算する。エレベータ制御装置１ｂは、この加算後の残り時間が０となった場合または一般用乗りかご２ｂ内のかご内操作盤の戸閉釦が押下された場合に、通常時より遅い速度でかごドア１５ｂが閉扉するように、かごドア制御装置１１ｂを制御する。【選択図】図１
2006273508.tif 000002
【特許請求の範囲】
【請求項１】
第１の乗りかごと、
第２の乗りかごと、
各階床の乗り場に設けられ、行先方向を登録するための第１の乗り場呼び登録釦と、
各階床の乗り場の前記第１の乗り場呼び登録釦より低い位置に設けられ、行先方向を登録するための第２の乗り場呼び登録釦と、
前記第１及び第２の乗りかごにそれぞれ設けられ、行先階を登録するための第１の行先階登録釦と、
前記第２の乗りかごの前記第１の行先階登録釦より低い位置に設けられ、行先階を登録するための第２の行先階登録釦と、
各階床の乗り場に前記乗り場呼び登録釦とは別に設けられるスイッチ手段と、
前記第２の乗り場呼び及び前記第２の行先階登録のいずれかに応答して着床した前記第２の乗りかごの戸開時間ならびに前記第１の乗りかごが着床した階床に設けられる前記スイッチ手段による操作がなされた場合の当該第１の乗りかごの戸開時間が、前記第１の乗り場呼び及び前記第２の乗りかごからの第１の行先階登録のいずれかに応答して着床した前記第２の乗りかごの戸開時間ならびに前記第１の乗りかごが着床した階床に設けられる前記スイッチ手段による操作がなされない場合の当該第１の乗りかごの戸開時間と比較して長くなるよう制御する制御手段と
を備えたことを特徴とするエレベータ。
【請求項２】
第１の乗りかごと、
第２の乗りかごと、
各階床の乗り場に設けられ、行先方向を登録するための第１の乗り場呼び登録釦と、
各階床の乗り場の前記第１の乗り場呼び登録釦より低い位置に設けられ、行先方向を登録するための第２の乗り場呼び登録釦と、
前記第１及び第２の乗りかごにそれぞれ設けられ、行先階を登録するための第１の行先階登録釦と、
前記第２の乗りかごの前記第１の行先階登録釦より低い位置に設けられ、行先階を登録するための第２の行先階登録釦と、
各階床の乗り場に前記乗り場呼び登録釦とは別に設けられるスイッチ手段と、
前記第２の乗り場呼び及び前記第２の行先階登録のいずれかに応答して着床した前記第２の乗りかごの戸閉速度ならびに前記第１の乗りかごが着床した階床に設けられる前記スイッチ手段による操作がなされた場合の当該第１の乗りかごの戸閉速度が、前記第１の乗り場呼び及び前記第２の乗りかごからの第１の行先階登録のいずれかに応答して着床した前記第２の乗りかごの戸閉速度ならびに前記第１の乗りかごが着床した階床に設けられる前記スイッチ手段による操作がなされない場合の当該第１の乗りかごの戸閉速度と比較して長くなるよう制御する制御手段とを備えたことを特徴とするエレベータ。
【請求項３】
第１の乗りかごと、
第２の乗りかごと、
各階床の乗り場に設けられ、行先方向を登録するための第１の乗り場呼び登録釦と、
各階床の乗り場の前記第１の乗り場呼び登録釦より低い位置に設けられ、行先方向を登録するための第２の乗り場呼び登録釦と、
前記第１及び第２の乗りかごにそれぞれ設けられ、行先階を登録するための第１の行先階登録釦と、
前記第２の乗りかごの前記第１の行先階登録釦より低い位置に設けられ、行先階を登録するための第２の行先階登録釦と、
前記第２の乗り場呼び及び前記第２の行先階登録のいずれかに応答して着床した前記第２の乗りかごの戸開時間ならびに前記第１の乗りかごが着床した階床に対する前記第２の乗り場呼びが登録されている場合の当該第１の乗りかごの戸開時間が、前記第１の乗り場呼び及び前記第２の乗りかごからの第１の行先階登録のいずれかに応答して着床した前記第２の乗りかごの戸開時間ならびに前記第１の乗りかごが着床した階床に対する前記第２の乗り場呼びが登録されていない場合の当該第１の乗りかごの戸開時間と比較して長くなるよう制御する制御手段と
を備えたことを特徴とするエレベータ。
【請求項４】
第１の乗りかごと、
第２の乗りかごと、
各階床の乗り場に設けられ、行先方向を登録するための第１の乗り場呼び登録釦と、
各階床の乗り場の前記第１の乗り場呼び登録釦より低い位置に設けられ、行先方向を登録するための第２の乗り場呼び登録釦と、
前記第１及び第２の乗りかごにそれぞれ設けられ、行先階を登録するための第１の行先階登録釦と、
前記第２の乗りかごの前記第１の行先階登録釦より低い位置に設けられ、行先階を登録するための第２の行先階登録釦と、
前記第２の乗り場呼び及び前記第２の行先階登録のいずれかに応答して、着床した前記第２の乗りかごの戸閉速度ならびに前記第１の乗りかごが着床した階床に対する前記第２の乗り場呼びが登録されている場合の当該第１の乗りかごの戸閉速度が、前記第１の乗り場呼び及び前記第２の乗りかごからの第１の行先階登録のいずれかに応答して着床した前記第２の乗りかごの戸閉速度ならびに前記第１の乗りかごが着床した階床に対する前記第２の乗り場呼びが登録されていない場合の当該第１の乗りかごの戸閉速度と比較して長くなるよう制御する制御手段とを備えたことを特徴とするエレベータ。
【請求項５】
前記第１の乗りかごが着床した階床に設けられる前記スイッチ手段による操作がなされた場合に当該第１の乗りかごに関する行先階登録を行なう手段をさらに備えた
ことを特徴とする請求項１または２に記載のエレベータ。
【請求項６】
前記第１の乗りかごが着床した階床に対する前記第２の乗り場呼びが登録されている場合に当該第１の乗りかごに関する行先階登録を行なう手段をさらに備えた
ことを特徴とする請求項３または４に記載のエレベータ。
【請求項７】
前記第１の乗りかごは、
行先階登録釦と、
乗客が乗っているか否かを判別する判別手段と、
前記第１の乗りかごに乗客が乗っていると前記判別手段が判別した場合で、前記第１の乗りかごが着床した階床に設けられる前記スイッチ手段による操作がなされている場合に行先階指定を促すための報知を行なう報知手段と
をさらに備えたことを特徴とする請求項１または２に記載のエレベータ。
【請求項８】
前記第１の乗りかごは、
行先階登録釦と、
前記第１の乗りかごに乗客が乗っているか否かを判別する判別手段と、
前記第１の乗りかごに乗客が乗っていると前記判別手段が判別した場合で、前記第１の乗りかごが着床した階床の乗り場の前記第２の乗り場呼びが登録されている場合に行先階指定を促すための報知を行なう報知手段と
をさらに備えたことを特徴とする請求項３または４に記載のエレベータ。
【発明の詳細な説明】
【技術分野】
【０００１】
本発明は、例えば車椅子利用者などの特定の乗客のための運転制御を行なうエレベータに関する。
【背景技術】
【０００２】
従来、例えば特許文献１に開示されたような、乗りかごが２台併設される２カー運転方式のエレベータでは、２台の乗りかごのうち１台を、健常者、いわゆる一般客による利用に適する一般用乗りかごとして用い、もう１台を、一般客による利用に加え、例えば車椅子利用者などの特定の乗客による利用にも適する兼用乗りかごとして用いるものがある。
【０００３】
兼用乗りかごには、当該乗りかご内に乗り込んだ車椅子利用客のための専用操作盤が設けられる。この操作盤は、通常のかご内操作盤とは別に、車椅子利用客による利用に適した高さに配置される。
【０００４】
また、兼用乗りかごの運転を制御するエレベータ制御装置は、兼用乗りかごの戸開時間延長機能及びドア遅動機能を有する。これらの機能は、車椅子利用客が兼用乗りかごに安全に乗降出来る様に設けられた機能である。
【０００５】
戸開時間延長機能とは、乗り場に設置される車椅子利用客用の乗り場呼び釦による操作や、兼用乗りかご内の前述した専用操作盤による操作をトリガとして、兼用乗りかごの戸開時間を、一般用乗りかごの戸開時間に対して延長する機能である。
【０００６】
また、ドア遅動機能とは、車椅子利用客用の乗り場呼び釦による操作や、兼用乗りかご内の専用操作盤による操作をトリガとして、兼用乗りかごの戸閉速度を、一般用乗りかごの戸閉速度と比較して遅くする機能である。この機能を用いると、車椅子利用客が閉扉するドアに挟まれた場合に衝撃が少なくなる。
【０００７】
また、乗客の通行を検出するためのセンサを兼用乗りかごのかごドアの近傍に設けたエレベータがある。このようなエレベータでは、センサを用いて乗客の通行を検出した際に、前述したエレベータ制御装置が、かごドアの閉扉を行なわないように制御する。
【特許文献１】特開平８−２６６０５号公報
【発明の開示】
【発明が解決しようとする課題】
【０００８】
しかしながら、車椅子利用客が車椅子利用客用の乗り場呼び釦を押下して兼用乗りかごの到着を待っている場合に、この兼用乗りかごではなく一般用乗りかごが先に到着してしまう場合がある。この理由としては、同じ乗り場にいる一般客が一般用乗り場呼び釦を押下している場合と一般用乗りかご内の操作盤による前述した車椅子利用客が位置する階床への行先階登録がなされていた場合とが挙げられる。この場合、車椅子利用者が誤って一般用乗りかごに乗りこむ可能性がある。
【０００９】
前述した一般用乗りかごは、車椅子利用客用の専用操作盤を設けていない。また、一般用乗りかごの運転に関しては、戸開時間延長機能及びドア遅動機能をともに有しない。よって車椅子利用客が一般用乗りかごに乗り込むと様々な不便を強いられることになる。
【００１０】
そこで、本発明の目的は、例えば車椅子利用客などの特定の乗客が一般用乗りかごを利用する場合の安全を確保し、利便性を高めることが可能になるエレベータを提供することにある。
【課題を解決するための手段】
【００１１】
すなわち、本発明に係わるエレベータは、第１の乗りかごと、第２の乗りかごと、各階床の乗り場に設けられ、行先方向を登録するための第１の乗り場呼び登録釦と、各階床の乗り場の、第１の乗り場呼び登録釦より低い位置に設けられ、行先方向を登録するための、第２の乗り場呼び登録釦と、第１及び第２の乗りかごにそれぞれ設けられ、行先階を登録するための第１の行先階登録釦と、第２の乗りかごの第１の行先階登録釦より低い位置に設けられ、行先階を登録するための第２の行先階登録釦と、各階床の乗り場に乗り場呼び登録釦とは別に設けられるスイッチ手段とを備え、第２の乗り場呼び及び第２の行先階登録のいずれかに応答して着床した第２の乗りかごの戸開時間及び第１の乗りかごが着床した階床に設けられるスイッチ手段による操作がなされた場合の第１の乗りかごの戸開時間が、第１の乗り場呼び及び第２の乗りかごからの第１の行先階登録のいずれかに応答して第２の乗りかごが着床した場合の当該第２の乗りかごの戸開時間ならびに第１の乗りかごが着床した階床に設けられるスイッチ手段による操作がなされない場合の当該第１の乗りかごの戸開時間と比較して長くなるよう制御することを特徴とする。
【発明の効果】
【００１２】
本発明に係わるエレベータでは、第１の乗りかごと、第２の乗りかごと、各階床の乗り場に設けられ、行先方向を登録するための第１の乗り場呼び登録釦と、各階床の乗り場の、第１の乗り場呼び登録釦より低い位置に設けられ、行先方向を登録するための第２の乗り場呼び登録釦と、第１及び第２の乗りかごにそれぞれ設けられ、行先階を登録するための第１の行先階登録釦と、第２の乗りかごの第１の行先階登録釦より低い位置に設けられ、行先階を登録するための第２の行先階登録釦と、各階床の乗り場に乗り場呼び登録釦とは別に設けられるスイッチ手段とを備え、第２の乗り場呼び及び第２の行先階登録のいずれかに応答して着床した第２の乗りかごの戸開時間ならびに第１の乗りかごが着床着床した階床に設けられるスイッチ手段による操作がなされた場合の第１の乗りかごの戸開時間が、第１の乗り場呼びおよび第２の乗りかごからの第１の行先階登録のいずれかに応答して着床した第２の乗りかごの戸開時間ならびに第１の乗りかごが着床した階床に設けられるスイッチ手段による操作がなされない場合の第１の乗りかごの戸開時間と比較して長くなるよう制御する。よって、例えば車椅子利用客などの特定の乗客が一般用乗りかごを利用する場合の安全を確保し、利便性を高めることができる。
【発明を実施するための最良の形態】
【００１３】
以下図面により本発明の実施形態について説明する。  
（第１の実施形態）
まず、本発明の第１の実施形態について説明する。  
図１は、本発明の第１の実施形態にしたがったエレベータの構成例を示すブロック図である。  
本発明の第１の実施形態にしたがったエレベータでは、図示しない機械室にエレベータ制御装置１ａおよびエレベータ制御装置１ｂが設けられる。
【００１４】
また、このエレベータでは、２つの昇降路２１ａ，２１ｂが設けられる。昇降路２１ａ内では兼用乗りかご２ａが昇降する。また、昇降路２１ｂ内では一般用乗りかご２ｂが昇降する。
【００１５】
兼用乗りかご２ａは、いわゆる車椅子仕様の乗りかごである。兼用乗りかご２ａは、例えば車椅子利用者などの特定の乗客および一般客の利用に適した乗りかごである。一般客とは健常者を意味する。以下、前述した特定の乗客を車椅子利用客と称する。
【００１６】
また、一般用乗りかご２ｂは、いわゆる一般仕様の乗りかごである。一般用乗りかご２ｂは、一般客による利用に適した乗りかごである。ただし後述する条件を満たしている場合には車椅子利用客による一般用乗りかご２ｂの利用にかかる安全性と利便性が向上する。
【００１７】
また、図示はしないが、兼用乗りかご２ａは、エレベータ制御装置１ａからの指示にしたがって駆動する巻き上げ機のモータ軸に設けられたシーブに巻き掛けられたロープを介してカウンタウェイトと連結される。兼用乗りかご２ａは、巻き上げ機の駆動によるシーブの回転に伴い、カウンタウェイトとともに互いに上下反対方向に昇降する。
【００１８】
また、一般用乗りかご２ｂは、エレベータ制御装置１ｂからの指示にしたがって駆動する巻き上げ機のモータ軸に設けられたシーブに巻き掛けられたロープを介してカウンタウェイトと連結される。一般用乗りかご２ｂは、巻き上げ機の駆動によるシーブの回転に伴い、カウンタウェイトとともに互いに上下反対方向に昇降する。
【００１９】
このエレベータの各階床には乗り場２０が設けられる。図１では１階床分の乗り場を示す。乗り場２０が設けられる階床には兼用乗りかご２ａおよび一般用乗りかご２ｂのそれぞれが着床できる。
【００２０】
各階床の乗り場２０には一般客用乗り場呼び釦（以下、一般用乗り場呼び釦と称する）３および車椅子利用客用乗り場呼び釦（以下、車椅子用乗り場呼び釦と称する）５が設けられる。一般用乗り場呼び釦３は一般客による乗り場呼びを行なうための釦である。また、車椅子用乗り場呼び釦５は車椅子利用客による乗り場呼びを行なうための釦である。
【００２１】
この場合、車椅子用乗り場呼び釦５の設置箇所の高さは一般用乗り場呼び釦３の設置箇所の高さより低い。車椅子用乗り場呼び釦５の設置箇所の高さは車椅子利用客による操作を容易に行なえる高さである。
【００２２】
一般用乗り場呼び釦３はエレベータ制御装置１ａ，１ｂと接続される。また、一般用乗り場呼び釦３は行先方向を指定する方向指定釦を有する。乗客がこの方向指定釦を押下することで乗り場呼びの登録を行なうことができる。
【００２３】
また、車椅子用乗り場呼び釦５はエレベータ制御装置１ａと接続される。また、車椅子用乗り場呼び釦５は行先方向を指定する方向指定釦を有する。乗客がこの方向指定釦を押下することで乗り場呼びの登録を行なうことができる。
【００２４】
また、同一階床の乗り場２０における車椅子用乗り場呼び釦５による乗り場呼びの登録と一般用乗り場呼び釦３による乗り場呼びの登録がともになされている場合には車椅子用乗り場呼び釦５による乗り場呼びが応答対象の乗り場呼びとなる。
【００２５】
また、乗り場２０には車椅子利用客乗車釦（以下、車椅子乗車釦と称する）６が設けられる。車椅子乗車釦６は、一般用乗りかご２ｂが着床した場合に一般用乗りかご２ｂのかごドア１５ｂの開扉時間および閉扉速度の延長を指示するための装置である。車椅子乗車釦６の設置箇所の高さは一般用乗り場呼び釦３の設置箇所の高さより低い。車椅子乗車釦６の設置箇所の高さは車椅子利用客による操作を容易に行なえる高さである。
【００２６】
車椅子乗車釦６（図１参照）が押下された場合には、当該車椅子乗車釦６は、車椅子乗車釦信号をエレベータ制御装置１ｂの演算部１０ｂに出力する。車椅子乗車釦６が押下されるタイミングは、例えば車椅子利用客が兼用乗りかご２ａを利用するために車椅子用乗り場呼び釦５による乗り場呼びを行なった後に、兼用乗りかご２ａより先に到着した一般用乗りかご２ｂに乗り込むタイミングである。
【００２７】
エレベータ制御装置１ａは、演算部１０ａおよび入出力インタフェース（Ｉ／Ｆ）９ａを備える。また、エレベータ制御装置１ｂは、演算部１０ｂおよび入出力インタフェース（Ｉ／Ｆ）９ｂを備える。
【００２８】
エレベータ制御装置１ａの演算部１０ａは、各階床からの乗り場呼びおよび兼用乗りかご２ａからのかご呼びの登録情報を図示しない内部メモリに記憶する機能を有する。また、エレベータ制御装置１ｂの演算部１０ｂは、各階床からの乗り場呼びおよび一般用乗りかご２ｂからのかご呼びの登録情報を図示しない内部メモリに記憶する機能を有する。
【００２９】
図１に示すように、兼用乗りかご２ａは、かごドア制御装置１１ａおよびかごドア１５ａを備える。また、一般用乗りかご２ｂは、かごドア制御装置１１ｂおよびかごドア１５ｂを備える。
【００３０】
エレベータ制御装置１ａの演算部１０ａは入出力インタフェース９ａと接続される。入出力インタフェース９ａは、各階床の一般用乗り場呼び釦３および車椅子用乗り場呼び釦５と接続される。また、入出力インタフェース９ａは、テールコード１３ａを介して兼用乗りかご２ａのかごドア制御装置１１ａと接続される。
【００３１】
エレベータ制御装置１ｂの演算部１０ｂは入出力インタフェース９ｂと接続される。入出力インタフェース９ｂは、各階床の一般用乗り場呼び釦３および車椅子乗車釦６と接続される。また、入出力インタフェース９ｂは、テールコード１３ｂを介して一般用乗りかご２ｂのかごドア制御装置１１ｂと接続される。また、エレベータ制御装置１ａの演算部１０ａは伝送路８を介してエレベータ制御装置１ｂの演算部１０ｂと接続される。
【００３２】
かごドア制御装置１１ａは、エレベータ制御装置１ａからの指示にしたがって、図示しないかごドア駆動機構を動作させることで、かごドア１５ａを開閉する。また、かごドア制御装置１１ｂは、エレベータ制御装置１ｂからの指示にしたがって、図示しないかごドア駆動機構を動作させることで、かごドア１５ｂを開閉する。
【００３３】
また、兼用乗りかご２ａのかごドア１５ａの近傍には光電管センサ１２ａが設けられる。光電管センサ１２ａは、かごドア制御装置１１ａおよびテールコード１３ａを介して入出力インタフェース９ａと接続される。
【００３４】
光電管センサ１２ａは、かごドア１５ａの近傍を乗客が通行している際にこれを検知し、これを示す制御信号をエレベータ制御装置１ａに出力する。エレベータ制御装置１ａは、光電管センサ１２ａからの制御信号を入力した場合、かごドア１５ａが閉扉しないよう、かごドア制御装置１１ａを制御する。
【００３５】
また、一般用乗りかご２ｂのかごドア１５ｂの近傍には、光電管センサ１２ｂが設けられる。光電管センサ１２ｂは、かごドア制御装置１１ｂおよびテールコード１３ｂを介して入出力インタフェース９ｂと接続される。
【００３６】
光電管センサ１２ｂは、かごドア１５ｂの近傍を乗客が通行している際にこれを検知し、これを示す制御信号をエレベータ制御装置１ｂに出力する。エレベータ制御装置１ｂは、光電管センサ１２ｂからの制御信号を入力した場合、かごドア１５ｂが閉扉しないようかごドア制御装置１１ｂを制御する。
【００３７】
また、一般用乗りかご２ｂ内には報知制御部１７が設けられる。報知制御装置１７は、例えばスピーカなどの報知装置１８と接続される。報知制御装置１７は、テールコード１３ｂを介してエレベータ制御装置１ｂと接続される。報知制御装置１７は、予め定められたメッセージの情報を図示しない内部メモリに記憶している。報知制御装置１７は、前述したメッセージをエレベータ制御装置１ｂからの指示にしたがって読み出して、これを報知装置１８により報知させる。
【００３８】
また、一般用乗りかご２ｂの下部には荷重検出装置１６が設けられる。荷重検出装置１６は、テールコード１３ｂを介してエレベータ制御装置１ｂと接続される。荷重検出装置１６は、一般用乗りかご２ｂに乗客が乗った際の荷重を検出し、この検出した旨を示す制御信号をエレベータ制御装置１ｂに出力する。
【００３９】
図２は、本発明の第１の実施形態にしたがったエレベータの兼用乗りかご２ａの内部の後部からかごドア１５ａを見た図である。  
図２に示すように、兼用乗りかご２ａの内部のかごドア１５ａの近傍には、一般客用乗りかご内操作盤（以下、一般用かご内操作盤と称する）３１ａが設けられる。一般用かご内操作盤３１ａは、テールコード１３ａを介してエレベータ制御装置１ａと接続される。一般用かご内操作盤３１ａは、各階床に対応した行先階指定釦を備えている。乗客がこの行先階指定釦を操作することで、兼用乗りかご２ａに関する行先階登録が行なえる。
【００４０】
図３は、本発明の第１の実施形態にしたがったエレベータの兼用乗りかご２ａの内部のかごドア１５ａと連なる側面を示す図である。  
図３に示すように、兼用乗りかご２ａの内部のかごドア１５ａと連なる側面には車椅子利用客用乗りかご内操作盤（以下、車椅子用かご内操作盤と称する）３２、手摺３３ａおよび鏡３４ａが取り付けられる。車椅子用かご内操作盤３２の設置箇所の高さは一般用かご内操作盤３１ａの設置箇所の高さより低い。車椅子用かご内操作盤３２の設置箇所の高さは車椅子利用客による操作を容易に行なえる高さである。
【００４１】
車椅子用かご内操作盤３２はテールコード１３ａを介してエレベータ制御装置１ａと接続される。車椅子用かご内操作盤３２は各階床に対応した行先階指定釦を備える。乗客がこの行先階指定釦を操作することで、兼用乗りかご２ａに関する行先階登録が行なえる。
【００４２】
図４は、本発明の第１の実施形態にしたがったエレベータの兼用乗りかご２ａの内部のかごドア１５ａと対向する側面を示す図である。  
図４に示すように、兼用乗りかご２ａの内部のかごドア１５ａと対向する側面には手摺３３ａおよび鏡３４ａが取り付けられる。兼用乗りかご２ａの内部の側面上部には報知装置１８が設けられる。
【００４３】
図５は、本発明の第１の実施形態にしたがったエレベータの一般用乗りかご２ｂの内部の後部からかごドア１５ｂを見た図である。  
図５に示すように、一般用乗りかご２ｂの内部のかごドア１５ｂの近傍には一般用かご内操作盤３１ｂが設けられる。一般用かご内操作盤３１ｂは、テールコード１３ｂを介してエレベータ制御装置１ｂと接続される。一般用かご内操作盤３１ｂの機能は一般用かご内操作盤３１ａ（図２参照）と同じである。
【００４４】
図６は、本発明の第１の実施形態にしたがったエレベータの一般用乗りかご２ｂの内部のかごドア１５ｂと連なる側面を示す図である。  
図６に示すように、一般用乗りかご２ｂの内部のかごドア１５ｂと連なる側面には手摺３３ｂおよび鏡３４ｂが取り付けられる。
【００４５】
図７は、本発明の第１の実施形態にしたがったエレベータの一般用乗りかご２ｂの内部のかごドア１５ｂ側から後部を見た図である。  
図７に示すように、一般用乗りかご２ｂの内部のかごドア１５ｂと対向する側面には手摺３３ｂおよび鏡３４ｂが取り付けられる。
【００４６】
次に、本発明の第１の実施形態にしたがったエレベータの動作について説明する。  
図８は、本発明の第１の実施形態にしたがったエレベータの処理動作の一例を示すフローチャートである。  
まず、兼用乗りかご２ａが着床した後の戸開時間および戸閉速度について説明する。
【００４７】
演算部１０ａは、一般用乗り場呼び釦３からの一般乗り場呼び登録信号を入力する（ステップＳ１のＹＥＳ，ステップＳ３のＹＥＳ）と、当該演算部１０ａおよび演算部１０ｂが既に内部メモリに登録している乗り場呼びの情報、かご呼びの情報ならびに乗りかご２ａ，２ｂの位置情報等を取得する。演算部１０ａは、これら取得した情報をもとに、前述した一般用乗り場呼び釦３からの乗り場呼びに応答させる乗りかごを兼用乗りかご２ａおよび一般用乗りかご２ｂから選択するための演算を行なう。
【００４８】
演算部１０ａは、前述した一般乗り場呼び登録信号で示される乗り場呼びに兼用乗りかご２ａを応答させると演算した場合（ステップＳ５のＹＥＳ）または兼用乗りかご２ａの一般用かご内操作盤３１ａからの行先階登録（ステップＳ２のＹＥＳ，ステップＳ４のＹＥＳ）に当該兼用乗りかご２ａを応答させると演算した場合（ステップＳ５のＹＥＳ）には、兼用乗りかご２ａ用の巻き上げ機を駆動させることで、兼用乗りかご２ａを目的階の乗り場２０に着床させる。
【００４９】
なお演算部１０ａは、前述した一般乗り場呼び登録信号で示される乗り場呼びに一般用乗りかご２ｂを応答させると演算した場合（ステップＳ５のＮＯ）には、これをエレベータ制御装置１ｂに指示する。この指示にしたがったエレベータ制御装置１ｂの動作については後述する。
【００５０】
前述した応答により兼用乗りかご２ａが着床すると、演算部１０ａは、かごドア１５ａが開扉するように、かごドア制御装置１１ａを制御する（ステップＳ６）。  
かごドア１５ａが開扉すると、演算部１０ａは、この開扉したかごドア１５ａの閉扉までの予め定められた残り時間Ｔ１の減算カウントを開始する（ステップＳ７）。この減算カウントは、当該演算部１０ａ内のタイマ回路（図示せず）により行なう。
【００５１】
演算部１０ａは、この残り時間が０となった場合（ステップＳ８のＹＥＳ）または一般用かご内操作盤３１ａ（図２参照）の戸閉釦が押下された場合（ステップＳ９のＹＥＳ）には、予め定められた速度Ｖ１でかごドア１５ａが閉扉するように、かごドア制御装置１１ａを制御する（ステップＳ１０）。
【００５２】
演算部１０ａは、車椅子用乗り場呼び釦５からの車椅子乗り場呼び登録信号を入力すると（ステップＳ３のＮＯ）、兼用乗りかご２ａを乗り場呼びに応答させるべく兼用乗りかご２ａ用の巻き上げ機を駆動させる。
【００５３】
また演算部１０ａは、兼用乗りかご２ａの車椅子用かご内操作盤３２からの行先階登録に当該兼用乗りかご２ａを応答させる場合には（ステップＳ４のＮＯ）、兼用乗りかご２ａ用の巻き上げ機を駆動させることで兼用乗りかご２ａを目的階の乗り場２０に着床させる。
【００５４】
兼用乗りかご２ａが着床すると、演算部１０ａは、かごドア１５ａが開扉するように、かごドア制御装置１１ａを制御する（ステップＳ２１）。  
そしてかごドア１５ａが開扉すると、演算部１０ａは、当該かごドア１５ａの閉扉までの予め定められた残り時間Ｔ２の減算カウントを開始する（ステップＳ２２）。この減算カウントは、当該演算部１０ａ内のタイマ回路により行なう。この残り時間Ｔ２は前述した残り時間Ｔ１と比較して長い速度である。また、この残り時間Ｔ２は車椅子利用客が十分な余裕をもって兼用乗りかご２ａに乗り込むことができる時間である。
【００５５】
演算部１０ａは、この減算カウントした残り時間が０となった場合（ステップＳ２３のＹＥＳ）または兼用乗りかご２ａ内の一般用かご内操作盤３１ａ（図２参照）の戸閉釦が押下された場合（ステップＳ２４のＹＥＳ）には、予め定めた速度Ｖ２でかごドア１５ａが閉扉するように、かごドア制御装置１１ａを制御する（ステップＳ２５）。この速度Ｖ２は前述した速度Ｖ１と比較して遅い速度である。また、速度Ｖ２は車椅子利用客が十分な余裕をもって兼用乗りかご２ａに乗り込むことができる速度である。
【００５６】
次に、一般用乗りかご２ｂが着床した後の戸開時間および戸閉速度について説明する。
演算部１０ｂは、前述した一般乗り場呼び登録信号で示される乗り場呼びに一般用乗りかご２ｂを応答させると演算部１０ａが演算した結果（ステップＳ３のＹＥＳ，ステップＳ５のＮＯ）、当該演算部１０ａから当該一般乗り場呼び登録信号で示される乗り場呼びに一般用乗りかご２ｂを応答させる指示を受けた場合には、一般用乗りかご２ｂ用の巻き上げ機を駆動させることで、一般用乗りかご２ｂを目的階の乗り場２０に着床させる。
【００５７】
また、演算部１０ｂは、一般用乗りかご２ｂ内の一般用かご内操作盤３１ｂからの行先階登録に当該一般用乗りかご２ｂを応答させる指示を演算部１０ａから受けた場合（ステップＳ４のＹＥＳ，ステップＳ５のＮＯ）には、一般用乗りかご２ｂ用の巻き上げ機を駆動させることで、一般用乗りかご２ｂを目的階の乗り場２０に着床させる。
【００５８】
前述した応答により一般用乗りかご２ｂが着床すると、演算部１０ｂは、かごドア１５ｂが開扉するように、かごドア制御装置１１ｂを制御する（ステップＳ３１）。  
かごドア１５ｂが開扉すると、演算部１０ｂは、演算部１０ｂ内のタイマ回路（図示せず）により、前述した残り時間Ｔ１の減算カウントを開始する（ステップＳ３２）。
【００５９】
演算部１０ｂは、一般用乗りかご２ｂ着床した階床の車椅子乗車釦６からの車椅子乗車釦信号を入出力インタフェース９ｂを介して入力しないまま残り時間が０となった場合（ステップＳ３３のＮＯ，ステップＳ８のＹＥＳ）または一般用乗りかご２ｂ内の一般用かご内操作盤３１ｂの戸閉釦が押下された場合（ステップＳ９のＹＥＳ）には、前述した速度Ｖ１でかごドア１５ｂが閉扉するように、かごドア制御装置１１ｂを制御する（ステップＳ１０）。
【００６０】
一方、演算部１０ｂは、前述のようにかごドア１５ｂが開扉してから閉扉するまでの間に車椅子乗車釦６からの車椅子乗車釦信号を入出力インタフェース９ｂを介して入力した場合（ステップＳ３３のＹＥＳ）には、前述したかごドア１５ｂの閉扉までの残り時間に予め定められた時間Ｔ３を加算する（ステップＳ３４）。この時間Ｔ３は前述した時間Ｔ２と時間Ｔ１の差分である。
【００６１】
演算部１０ｂは、この加算後の残り時間が０となった場合（ステップＳ２３のＹＥＳ）または一般用乗りかご２ｂ内の一般用かご内操作盤３１ｂの戸閉釦が押下された場合（ステップＳ２４のＹＥＳ）には、前述した速度Ｖ２でかごドア１５ｂが閉扉するように、かごドア制御装置１１ｂを制御する。
【００６２】
ここで、着床後の一般用乗りかご２ｂのかごドア１５ｂが既に閉扉した状態で車椅子乗車釦６からの車椅子乗車釦信号を入力した場合の処理動作について説明する。この場合には、演算部１０ｂは、かごドア１５ｂが再び開扉した後に前述した時間Ｔ１と時間Ｔ３をあわせた時間が経過した場合には、演算部１０ｂは、前述した速度Ｖ２でかごドア１５ｂが閉扉するように、かごドア制御装置１１ｂを制御する。
【００６３】
また、演算部１０ｂは、着床後の一般用乗りかご２ｂのかごドア１５ｂが既に閉扉した状態で車椅子乗車釦６からの車椅子乗車釦信号を入力した場合で、一般用かご内操作盤３１ｂ（図５参照）の戸閉釦が押下された場合には、前述した速度Ｖ２でかごドア１５ｂが閉扉するように、かごドア制御装置１１ｂを制御する。
【００６４】
以上説明したように、本発明の第１の実施形態にしたがったエレベータでは、車椅子利用客が車椅子乗車釦６を押下することで一般用乗りかご２ｂのかごドア１５ｂの開扉時間が通常よりも長くなり、かごドア１５ｂの閉扉速度が通常よりも遅くなる。よって、車椅子利用客が乗り場２０で兼用乗りかご２ａの到着を待っている状態で先に到着した一般用乗りかご２ｂに車椅子利用客が乗り込む際の安全性が向上する。
【００６５】
ところで、一般用乗りかご２ｂには兼用乗りかご２ａに備えられるような車椅子用かご内操作盤３２が無い。つまり、車椅子利用客が一般用乗りかご２ｂに乗り込んだ後で行先階指定を行なうためには一般用かご内操作盤３１ｂ（図５参照）を操作しなければならない。前述したように一般用かご内操作盤３１ｂの設置箇所は車椅子利用客にとって操作し難い箇所である。
【００６６】
しかしながら一般用乗りかご２ｂが着床する前に当該一般用乗りかご２ｂ内に一般客が既に乗っていた場合または着床した一般用乗りかご２ｂに前述した車椅子利用客と一般客が一緒に乗り込む場合には、この一般客が車椅子利用客に代わって一般用かご内操作盤３１ｂを操作して車椅子利用客の行先階登録を行なえば車椅子利用客の不便が解消される。
【００６７】
そこで本発明の第１の実施形態にしたがったエレベータのエレベータ制御装置１ｂの演算部１０ｂは、荷重検出装置１６からの荷重検出を示す制御信号を入力している場合で一般用乗りかご１ｂが着床した乗り場２０に備えられる車椅子乗車釦６から出力された車椅子乗車釦信号を入力した場合には車椅子利用客に代わる行先階登録を一般客に促すメッセージが報知装置１８から出力されるように報知制御装置１７を制御する。  
行先階登録を一般客に促すメッセージは報知制御装置１７に記憶される。このメッセージは、例えば「車椅子のお客様の行先階の指定をお願い致します。」などの音声である。
【００６８】
このような処理を行なえば一般用乗りかご２ｂ内の一般客に対して車椅子利用客に代わる行先階登録を促すことができる。この場合には車椅子利用客は一般用乗りかご２ｂ内の一般客に対し行先階を口頭などで伝えればよい。よって、一般用乗りかご１ｂに乗り込んだ際の行先階指定に関する不便を解消できる。
【００６９】
以上説明した実施形態では、荷重検出装置１６を用いて一般用乗りかご１ｂ内に乗客が乗り込んでいるか否かを検出し、この結果、荷重検出装置１６が荷重を検出した場合に車椅子利用客に代わる行先階登録を一般客に促すメッセージ音声を出力すると説明した。
【００７０】
しかしこれらの実施形態では、例えば一般用乗りかご２ｂ内の一般用かご内操作盤３１ｂからのかご呼びを登録している場合で、当該一般用乗りかご１ｂが着床した乗り場２０に備えられる車椅子乗車釦６からの車椅子乗車釦信号を入力した場合に前述したメッセージ音声が報知装置１８から出力されるように報知制御装置１７を制御してもよい。
【００７１】
次に、本発明の第１の実施形態にしたがったエレベータの変形例について説明する。この変形例では車椅子利用客が一般用乗りかご２ｂに乗り込んだ際に一般用かご内操作盤３１ｂ（図５参照）を操作しなくとも行先階指定がなされる。
【００７２】
この変形例では報知制御装置１７および報知装置１８を設けない。また、エレベータ制御装置１ｂの演算部１０ｂは、一般用乗りかご２ｂが着床した階床における車椅子乗車釦６から出力された制御信号を入力している場合には、一般用乗りかご２ｂに関する行先階登録を行なう。
【００７３】
この行先階登録対象の階床は、一般用乗りかご２ｂが着床した階床情報および着床するまでの一般用乗りかご２ｂの昇降方向をもとに演算部１０ｂが決定した一般用乗りかご２ｂによるサービス対象の階床である。
【００７４】
例えば一般用乗りかご２ｂが着床した階床が最上階である場合には演算部１０ｂは、一般用乗りかご２ｂに関する行先階登録として、この最上階の１階床下の階床から最下階までの各階床の行先階登録を行なう。また、演算部１０ｂは、一般用乗りかご２ｂが着床した階床が最下階である場合には、この最下階の１階床上の階床から最上階までの各階床の行先階登録を行なう。
【００７５】
また、一般用乗りかご２ｂが着床した階床が中間階である場合で、着床するまでの一般用乗りかご２ｂの昇降方向が下方向である場合には、演算部１０ｂはこの着床した階床の１階床下の階床から最下階までの行先階登録を行なう。
【００７６】
一般用乗りかご２ｂが着床した階床が中間階である場合で、着床するまでの一般用乗りかご２ｂの昇降方向が上方向である場合には、演算部１０ｂは、この着床した階床の１階床上の階床から最上階までの行先階登録を行なう。このような処理を行なえば車椅子利用客が一般用乗りかご２ｂの利用する際の行先階登録にかかる不便が解消される。
【００７７】
また、この変形例では、前述した行先階登録後に車椅子利用客が一般用乗りかご２ｂに乗り込んだ場合には荷重検出装置１６からの荷重検出を示す制御信号が演算部１０ｂに入力されるようになる。ここで演算部１０ｂは、荷重検出装置１６からの制御信号が入力されなくなった場合に前述のように自動で登録した行先階登録を取り消してもよい。このような処理を行なえば車椅子利用客が降りた一般用乗りかご２ｂに一般客が乗り込んだ場合でも一般客が不便を感じることがなくなる。
【００７８】
（第２の実施形態）
次に、本発明の第２の実施形態について説明する。なお、本実施形態に係るエレベータの構成は、図１に示したものと基本的にほぼ同様であるので、同一部分の説明は省略する。  
本発明の第２の実施形態にしたがったエレベータは本発明の第１の実施形態にしたがったエレベータと異なり車椅子乗車釦１６を設けていない。
【００７９】
次に、本発明の第２の実施形態にしたがったエレベータの動作について説明する。なお兼用乗りかご２ａが着床した後の戸開時間および戸閉速度については前述した第１の実施形態にしたがったエレベータと同様である。したがって、以下は一般用乗りかご２ｂが着床した後の戸開時間および戸閉速度について説明する。
【００８０】
図９は、本発明の第２の実施形態にしたがったエレベータの処理動作の一例を示すフローチャートである。
【００８１】
演算部１０ｂは、前述した一般乗り場呼び登録信号で示される乗り場呼びに一般用乗りかご２ｂを応答させると演算部１０ａが演算した結果、当該一般乗り場呼び登録信号で示される乗り場呼びに一般用乗りかご２ｂを応答させる指示を演算部１０ａから受けた場合（ステップＳ５１）で、この応答により一般用乗りかご２ｂを着床させる階床の乗り場２０の車椅子用乗り場呼び釦５による乗り場呼びを登録していない場合（ステップＳ５２のＮＯ）には、応答指示にしたがって一般用乗りかご２ｂ用の巻き上げ機を駆動させることで一般用乗りかご２ｂを着床させる。
【００８２】
また、演算部１０ｂは、一般用乗りかご２ｂ内の一般用かご内操作盤３１ｂ（図５参照）からの行先階登録に当該一般用乗りかご２ｂを応答させる指示を演算部１０ａから受けた場合で、この応答により一般用乗りかご２ｂを着床させる階床の乗り場２０の車椅子用乗り場呼び釦５による乗り場呼びを登録していない場合には、この応答指示にしたがって一般用乗りかご２ｂ用の巻き上げ機を駆動させることで一般用乗りかご２ｂを着床させる。
【００８３】
演算部１０ｂは前述した応答により一般用乗りかご２ｂが着床した後にかごドア１５ｂが開扉するようにかごドア制御装置１１ｂを制御する（ステップＳ５３）。  
そして、演算部１０ｂはかごドア１５ｂの開扉後から当該かごドア１５ｂの閉扉までの予め定められた残り時間Ｔ１の減算カウントを開始する（ステップＳ５４）。
【００８４】
演算部１０ｂは、この残り時間が０となった場合（ステップＳ５５のＹＥＳ）または一般用かご内操作盤３１ｂ（図５参照）の戸閉釦が押下された場合（ステップＳ５６のＹＥＳ）には前述した速度Ｖ１でかごドア１５ｂが閉扉するようにかごドア制御装置１１ｂを制御する（ステップＳ５７）。
【００８５】
一方、演算部１０ｂは、前述したような一般用乗りかご２ｂを応答させる指示を演算部１０ａから受けた場合で、この応答により一般用乗りかご２ｂを着床させる階床の乗り場２０の車椅子用乗り場呼び釦５による乗り場呼びを登録している場合（ステップＳ５２のＹＥＳ）には、この指示にしたがって一般用乗りかご２ｂ用の巻き上げ機を駆動させることで一般用乗りかご２ｂを着床させる。
【００８６】
そして演算部１０ｂは、前述した応答により一般用乗りかご２ｂが着床した後にかごドア１５ｂが開扉するようにかごドア制御装置１１ｂを制御する（ステップＳ６１）。  
演算部１０ｂは、かごドア１５ｂの開扉後から当該かごドア１５ｂの閉扉までの予め定められた残り時間Ｔ２の減算カウントを開始する（ステップＳ６２）。
【００８７】
演算部１０ｂは、この残り時間が０となった場合（ステップＳ６３のＹＥＳ）または一般用かご内操作盤３１ｂ（図５参照）の戸閉釦が押下された場合（ステップＳ６４のＹＥＳ）には前述した速度Ｖ２でかごドア１５ｂが閉扉するようにかごドア制御装置１１ｂを制御する（ステップＳ６５）。
【００８８】
以上説明したように、本発明の第２の実施形態にしたがったエレベータでは、一般用乗りかご１ｂが着床した階床の乗り場２０の車椅子用乗り場呼び釦５による乗り場呼びが登録されている場合には一般用乗りかご２ｂのかごドア１５ｂの開扉時間が通常よりも長くなり、かごドア１５ｂの閉扉速度が通常よりも遅くなる。
【００８９】
つまり車椅子利用客が乗り場２０で兼用乗りかご２ａの到着を待っている状態で一般用乗りかご２ｂが先に到着しても、この一般用乗りかご２ｂに車椅子利用客が乗り込む際の安全性が向上する。加えて、本発明の第１の実施形態にしたがったエレベータで設けていた車椅子乗車釦６を設ける必要が無い。
【００９０】
次に、本発明の第２の実施形態にしたがったエレベータの変形例について説明する。  
前述したように、一般用乗りかご２ｂには兼用乗りかご２ａに備えられるような車椅子用かご内操作盤３２が無い。この変形例では車椅子利用客が一般用乗りかご２ｂに乗り込んだ際に一般用かご内操作盤３１ｂ（図５参照）を操作しなくとも第１の実施形態の変形例と同様の行先階指定がなされるようになっている。
【００９１】
この変形例では、第１の実施形態の変形例と同様に報知制御装置１７および報知装置１８を設けない。また、エレベータ制御装置１ｂの演算部１０ｂは一般用乗りかご２ｂが着床する階床の乗り場２０の車椅子用乗り場呼び釦５による乗り場呼びを登録している場合には、第１の実施形態の変形例と同様の行先階登録を行なう。
【００９２】
また、この変形例では、前述した行先階登録後に車椅子利用客が一般用乗りかご２ｂに乗り込んだ場合には荷重検出装置１６からの制御信号が演算部１０ｂに入力される。ここで演算部１０ｂは、この制御信号が入力されなくなった場合には車椅子利用客が一般用乗りかご２ｂから降りたとみなし、前述のように自動で登録した行先階登録を取り消してもよい。
【００９３】
以上説明した実施形態では、一般用乗りかご２ｂの光電管センサ１２ｂは常に動作する構成とした。しかしこれに限らず、演算部１０ｂが車椅子乗車釦６からの車椅子乗車釦信号を入力した場合に当該演算部１０ｂがテールコード１３ｂを介して乗客の通行時の検出を有効とする制御信号を光電管センサ１２ｂに出力した場合に当該光電管センサ１２ｂによる乗客の通行の検出を可能としてもよい。
【００９４】
これにより車椅子乗車釦６を押下しない一般客が一般用乗りかご２ｂに対する乗降を行なう場合には光電管センサ１２ｂによる検出はなされなくなる。よって、光電管センサ１２ｂの使用寿命を長くできる。
【００９５】
また、以上説明した実施形態では、演算部１０ａは、車椅子用乗り場呼び釦５からの車椅子乗り場呼び登録信号を入力すると兼用乗りかご２ａを乗り場呼びに応答させるべく兼用乗りかご２ａ用の巻き上げ機を駆動させた。
【００９６】
しかし、以上説明した実施形態では、演算部１０ａは、兼用乗りかご２ａの昇降方向および一般用乗りかご２ｂの昇降方向の情報をもとに一般用乗りかご２ｂを乗り場呼びに応答させるべく当該一般用乗りかご２ｂ用の巻き上げ機を駆動するよう演算部１０ｂに指示してもよい。
【００９７】
一般用乗りかご２ｂを乗り場呼びに応答させる場合とは、例えば車椅子用乗り場呼び釦５からの車椅子乗り場呼び登録信号が兼用乗りかご２ａの現在位置から上の階床からの乗り場呼びを示している場合で兼用乗りかご２ａ用の昇降方向が下方向である場合である。
【００９８】
なお、この発明は、前記実施形態そのままに限定されるものではなく、実施段階ではその要旨を逸脱しない範囲で構成要素を変形して具体化できる。また、前記実施形態に開示されている複数の構成要素の適宜な組み合せにより種々の発明を形成できる。例えば、実施形態に示される全構成要素から幾つかの構成要素を省略してもよい。更に、異なる実施形態に亘る構成要素を適宜組み合せてもよい。
【図面の簡単な説明】
【００９９】
【図１】本発明の第１の実施形態にしたがったエレベータの構成例を示すブロック図。
【図２】本発明の第１の実施形態にしたがったエレベータの兼用乗りかごの内部の後部からかごドアを見た図。
【図３】本発明の第１の実施形態にしたがったエレベータの兼用乗りかごの内部のかごドアと連なる側面を示す図。
【図４】本発明の第１の実施形態にしたがったエレベータの兼用乗りかごの内部のかごドア側から後部を見た図。
【図５】本発明の第１の実施形態にしたがったエレベータの一般用乗りかごの内部の後部からかごドアを見た図。
【図６】本発明の第１の実施形態にしたがったエレベータの一般用乗りかごの内部のかごドアと連なる側面を示す図。
【図７】本発明の第１の実施形態にしたがったエレベータの一般用乗りかごの内部のかごドア側から後部を見た図。
【図８】本発明の第１の実施形態にしたがったエレベータの処理動作の一例を示すフローチャート。
【図９】本発明の第２の実施形態にしたがったエレベータの処理動作の一例を示すフローチャート。
【符号の説明】
【０１００】
１ａ，１ｂ…エレベータ制御装置、２ａ…兼用乗りかご、２ｂ…一般用乗りかご、３…一般客用乗り場呼び釦、５…車椅子利用客用乗り場呼び釦、６…車椅子利用客乗車釦、８…信号伝送路、９ａ、９ｂ…入出力インタフェース（Ｉ／Ｆ）、１０ａ，１０ｂ…演算部、１１ａ，１１ｂ…かごドア制御装置、１２ａ，１２ｂ…光電管センサ、１３ａ，１３ｂ…テールコード、１５ａ，１５ｂ…かごドア、１６…荷重検知装置、１７…報知制御装置、１８…報知装置、２０…乗り場、２１ａ，２１ｂ…昇降路、３１ａ，３１ｂ…一般客用乗りかご内操作盤、３２…車椅子利用客用乗りかご内操作盤、３３ａ，３３ｂ…手摺、３４ａ，３４ｂ…鏡。
【図１】
2006273508.tif 000003
【図２】
2006273508.tif 000004
【図３】
2006273508.tif 000005
【図４】
2006273508.tif 000006
【図５】
2006273508.tif 000007
【図６】
2006273508.tif 000008
【図７】
2006273508.tif 000009
【図８】
2006273508.tif 000010
【図９】
2006273508.tif 000011